(57)【要約】  支持装置は、脚の上部に取り付け可能な角度調整機構14により可動体15を角度調整可能に支持し、この可動体15により長尺支持体17を長手方向摺動可能に保持し、この長尺支持体17の先端側に雲台またはカメラなどの被支持体を取り付ける被支持体取付部16を設ける。長尺支持体17の被支持体取付部16とは反対側から長尺支持体17に角度調整操作用の操作筒18を被嵌し、この操作筒18を可動体15に螺合接続する。操作筒18を螺進させることで、一方の押圧部63と他方の押圧部65の各回転体面62，64により１対の保持体23の腕部66，67を挟圧し、スリット24を閉じる方向に変形させ、腑仰軸穴部25を縮径変形させ、角度調整機構14を固定する。操作筒18により操作性の向上を図れる。
2011083615.tif 000002
【特許請求の範囲】
【請求項１】
脚の上部に位置する角度調整のための角度調整機構と、
上記角度調整機構により角度調整可能に支持された可動体と、
上記可動体により長手方向摺動可能に保持され先端側に被支持体を取り付ける被支持体取付部が設けられた長尺支持体と、
上記長尺支持体の被支持体取付部とは反対側から上記長尺支持体に被嵌されるとともに上記可動体に接続された角度調整操作用の操作筒と
を具備したことを特徴とする支持装置。
【請求項２】
上記角度調整機構の角度調整機能を固定する角度固定機構を備え、
上記角度固定機構は、
上記可動体に一体形成された回転体面を有する一方の押圧部と、
上記可動体に移動自在に嵌合され角度調整機能を固定する操作により上記一方の押圧部に接近する方向へ移動可能な回転体面を有する他方の押圧部と、
上記可動体を保持するとともに上記一方の押圧部と上記他方の押圧部の各回転体面により挟圧されて変形することで上記角度調整機構を固定する保持体と
を具備したことを特徴とする請求項１記載の支持装置。
【請求項３】
上記操作筒は、上記可動体に螺合接続され、
上記角度固定機構は、上記操作筒の螺進により上記角度調整機構の角度調整機能を固定する
ことを特徴とする請求項２記載の支持装置。
【請求項４】
上記角度調整機構は、
上記脚の上部に取り付けられる旋回軸体と、
上記旋回軸体を挟むように上記旋回軸体に回動可能に嵌合された複数の腑仰軸部材からなる腑仰軸体と、
上記一方の押圧部と上記他方の押圧部との挟圧により上記保持体に縮径可能に形成されて上記腑仰軸体に回動可能に嵌合された腑仰軸穴部と
を具備したことを特徴とする請求項２または３記載の支持装置。
【請求項５】
上記長尺支持体に形成されたラックと、
上記可動体を通して内部に挿入され上記ラックと噛合されたピニオンと、
上記ピニオンを回転操作するハンドルと
を具備したことを特徴とする請求項１乃至４のいずれか記載の支持装置。
【請求項６】
上記長尺支持体の上記被支持体取付部側から上記長尺支持体と上記可動体との間に挿入可能な厚みと挿入不可の厚みとをテーパ面部を介して形成した筒状の摩擦力付与体と、
上記長尺支持体の上記被支持体取付部側から上記長尺支持体に嵌合されるとともに上記可動体に螺合されて上記摩擦力付与体を押圧可能な摩擦力調整体と
を具備したことを特徴とする請求項１乃至５のいずれか記載の支持装置。
【請求項７】
脚と、
上記脚の上部に位置する請求項１乃至６のいずれか記載の支持装置と
を具備したことを特徴とする脚装置。
【発明の詳細な説明】
【技術分野】
【０００１】
本発明は、カメラを支持する支持装置および脚装置に関する。
【背景技術】
【０００２】
従来、図８に示されるような支持装置１を、三脚２の上部に取り付けた脚装置がある。すなわち、この支持装置１は、角度調整のための角度調整機構３により角度調整可能に支持された可動体４により、長尺支持体５を長手方向摺動可能に保持し、この長尺支持体５の先端側にカメラ６の雲台７を取り付けるようにした脚装置である（非特許文献１参照）。【０００３】
そして、図９に示されるように、このような脚装置は、雲台７の角度調整機能では対応できない場所８にある被写体９を撮影する場合に、長尺支持体５を前方に引き出しつつ雲台７の角度調整機能により、カメラ６を希望する場所および方向にセットすることができる。長尺支持体５を垂直に立てることも可能であり、その場合は、長尺支持体５が昇降可能なオフセット型のセンターポールとして機能する。
【先行技術文献】
【非特許文献】
【０００４】
【非特許文献１】三脚および雲台カタログ「ＧＩＴＺＯ  focus on forever」2009-2010要約版  第６頁
【発明の概要】
【発明が解決しようとする課題】
【０００５】
上記のような脚装置は、長尺支持体５を操作し難い問題がある。特に、図９に示されるように、長尺支持体５の大部分を前方に引き出した場合、三脚２の後方に立たざるをえない撮影者は、三脚２を介して前方に手を伸ばし、長尺支持体５を把持してこの長尺支持体５の角度を調整するが、そのような姿勢で微妙な調整操作を行なうことは容易でない。【０００６】
本発明は、このような点に鑑みなされたもので、長尺支持体を有する支持装置において、操作性の向上を図れる支持装置と、その支持装置を用いた脚装置とを提供することを目的とする。
【課題を解決するための手段】
【０００７】
請求項１に記載された発明は、脚の上部に位置する角度調整のための角度調整機構と、上記角度調整機構により角度調整可能に支持された可動体と、上記可動体により長手方向摺動可能に保持され先端側に被支持体を取り付ける被支持体取付部が設けられた長尺支持体と、上記長尺支持体の被支持体取付部とは反対側から上記長尺支持体に被嵌されるとともに上記可動体に接続された角度調整操作用の操作筒とを具備した支持装置である。【０００８】
請求項２に記載された発明は、請求項１記載の支持装置において、上記角度調整機構の角度調整機能を固定する角度固定機構を備え、上記角度固定機構は、上記可動体に一体形成された回転体面を有する一方の押圧部と、上記可動体に移動自在に嵌合され角度調整機能を固定する操作により上記一方の押圧部に接近する方向へ移動可能な回転体面を有する他方の押圧部と、上記可動体を保持するとともに上記一方の押圧部と上記他方の押圧部の各回転体面により挟圧されて変形することで上記角度調整機構を固定する保持体とを具備した支持装置である。【０００９】
請求項３に記載された発明は、請求項２記載の支持装置において、上記操作筒が、上記可動体に螺合接続され、上記角度固定機構は、上記操作筒の螺進により上記角度調整機構の角度調整機能を固定する支持装置である。【００１０】
請求項４に記載された発明は、請求項２または３記載の支持装置において、上記角度調整機構が、上記脚の上部に取り付けられる旋回軸体と、上記旋回軸体を挟むように上記旋回軸体に回動可能に嵌合された複数の腑仰軸部材からなる腑仰軸体と、上記一方の押圧部と上記他方の押圧部との挟圧により上記保持体に縮径可能に形成されて上記腑仰軸体に回動可能に嵌合された腑仰軸穴部とを具備した支持装置である。【００１１】
請求項５に記載された発明は、請求項１乃至４のいずれか記載の支持装置において、上記長尺支持体に形成されたラックと、上記可動体を通して内部に挿入され上記ラックと噛合されたピニオンと、上記ピニオンを回転操作するハンドルとを具備した支持装置である。【００１２】
請求項６に記載された発明は、請求項１乃至５のいずれか記載の支持装置において、上記長尺支持体の上記被支持体取付部側から上記長尺支持体と上記可動体との間に挿入可能な厚みと挿入不可の厚みとをテーパ面部を介して形成した筒状の摩擦力付与体と、上記長尺支持体の上記被支持体取付部側から上記長尺支持体に嵌合されるとともに上記可動体に螺合されて上記摩擦力付与体を押圧可能な摩擦力調整体とを具備した支持装置である。【００１３】
請求項７に記載された発明は、脚と、上記脚の上部に位置する請求項１乃至６のいずれか記載の支持装置とを具備した脚装置である。
【発明の効果】
【００１４】
請求項１記載の発明によれば、上記角度調整機構により角度調整される上記可動体に対し上記長尺支持体を摺動して上記被支持体取付部の位置を変化させても、上記長尺支持体の被支持体取付部とは反対側から上記長尺支持体に被嵌されるとともに上記可動体に接続された上記操作筒は、その把持する位置を変化させなくてもよいので、上記操作筒により上記可動体を介して上記長尺支持体を希望する任意の方向に容易に角度調整操作でき、操作性を向上できる。【００１５】
請求項２記載の発明によれば、上記角度固定機構により上記角度調整機構を固定操作する際に生じる上記保持体の変形による角度変化を、上記一方の押圧部および上記他方の押圧部の各回転体面で吸収し、上記一方の押圧部および上記他方の押圧部は角度変化することなく相互に接近するので、上記固定操作時に上記長尺支持体が角度変化することを防止でき、上記角度固定機構を固定操作したときに発生しやすい長尺支持体の誤作動をなくして、正確な操作を容易に実現できる。【００１６】
請求項３記載の発明によれば、上記操作筒を動かして上記角度調整機構により上記長尺支持体を角度調整するとともに、その角度調整後の操作筒を捻ることにより、上記角度固定機構を働かせて上記角度調整機構の角度調整機能を固定し、上記長尺支持体の角度を容易に固定することができ、より操作性を向上できる。【００１７】
請求項４記載の発明によれば、上記一方の押圧部と上記他方の押圧部との挟圧により上記保持体を変形させて上記角度調整機構を固定操作すると、上記保持体の上記腑仰軸穴部が縮径動作して上記腑仰軸体を挟圧することで、上記腑仰軸体を中心とする回動可能状態を固定できるとともに、上記旋回軸体を挟むように上記旋回軸体に回動可能に嵌合された複数の腑仰軸部材からなる上記腑仰軸体により上記旋回軸体も挟圧されるので、同時に上記旋回軸体を中心とする回動可能状態を固定でき、腑仰軸回りの固定と旋回軸回りの固定とを同時に固定できることから、より操作性を向上できる。【００１８】
請求項５記載の発明によれば、上記可動体に対する上記長尺支持体の移動を、上記ラックと噛合する上記ピニオンをハンドルで回転動作することにより容易に行なうことができ、上記長尺支持体を直接把持して軸方向移動する場合よりも、操作性を向上できる。【００１９】
請求項６記載の発明によれば、上記可動体に螺合された上記摩擦力調整体により適度に押圧調整された上記摩擦力付与体により、上記長尺支持体に適切な摩擦力を付与したので、上記可動体と上記長尺支持体との間の隙間などによる不安定な動きをなくして、上記長尺支持体を円滑に動かすことができ、この点で操作性を向上できる。【００２０】
請求項７記載の発明によれば、上記脚の上部に位置する上記支持装置において、上記可動体に対し上記長尺支持体を摺動して上記被支持体の位置を変化させても、上記操作筒を把持する位置は変化しないので、上記操作筒により上記可動体を介して上記長尺支持体を所定の方向に容易に角度調整操作でき、操作性の優れた脚装置を提供できる。
【図面の簡単な説明】
【００２１】
【図１】本発明に係る支持装置の一実施の形態を示す斜視図である。
【図２】同上アダプタの分解斜視図である。
【図３】同上アダプタを脚に取り付けた脚装置の一実施の形態を示す側面図である。
【図４】同上脚装置の長尺支持体を斜めにした状態を示す斜視図である。
【図５】（ａ）は同上長尺支持体を角度調整可能とした状態を示す一部を破断した正面図、（ｂ）は同上長尺支持体の角度調整機能を固定した状態を示す一部を破断した正面図である。
【図６】（ａ）は同上長尺支持体を角度調整可能としたときの角度固定機構を示す説明図、（ｂ）は同上長尺支持体の角度調整機能を固定したときの角度固定機構を示す説明図である。
【図７】上記角度調整機能を固定操作する際に発生する問題点を説明するための比較例を示す断面図である。
【図８】従来の脚装置を示す斜視図である。
【図９】従来の脚装置の使用例を示す側面図である。
【発明を実施するための形態】
【００２２】
以下、本発明を、図１乃至図６に示された一実施の形態に基いて詳細に説明する。
【００２３】
図１および図２は、支持装置11を示し、図３および図４は、その支持装置11が脚12の上部に位置する脚装置13を示す。支持装置11は、脚12の上部と別体に構成され、脚アダプタとして取り外し可能であることが望ましいが、脚12の上部と一体的に構成してもよい。
【００２４】
図１および図２に示されるように、支持装置11は、脚12の上部に取り付け可能な角度調整のための角度調整機構14と、上記角度調整機構14により角度調整可能に支持された可動体15と、上記可動体15により長手方向摺動可能に保持され先端側に雲台またはカメラなどの被支持体を取り付ける被支持体取付部16が設けられた長尺支持体17と、上記長尺支持体17の被支持体取付部16とは反対側から上記長尺支持体17に被嵌されるとともに上記可動体15に接続された角度調整操作用の操作筒18とを具備している。
【００２５】
図２に示されるように、上記角度調整機構14は、上記脚12の上部に別体または一体的に取り付けられる垂直方向の軸線を有する旋回軸体21に、この旋回軸体21を挟むように複数の腑仰軸部材22a，22bからなる水平方向の軸線を有する腑仰軸体22が回動可能に嵌合され、上記可動体15を両側から保持する１対の保持体23のオフセット位置に、スリット24により縮径可能に腑仰軸穴部25が形成され、この腑仰軸穴部25に上記腑仰軸体22が回動可能に嵌合されたものである。上記複数の腑仰軸部材22a，22bは、１対のネジ（図示せず）により上記旋回軸体21を挟んで固定するとともに、一側の腑仰軸部材22aから螺入したネジ26を上記旋回軸体21の環状溝27に係合して、上記腑仰軸体22の抜止を図る。
【００２６】
上記長尺支持体17の上面にはラック31が形成され、一方、上記可動体15にはピニオン保持筒部32が一体に形成され、このピニオン保持筒部32により上記可動体15を通して内部に挿入されたピニオン33が回転自在に保持され、上記ラック31と噛合されている。
【００２７】
上記ピニオン33の軸部には環状溝34が形成され、上記可動体15の上側から上記ピニオン保持筒部32内の片側部に螺入されたネジ35が上記環状溝34に係合して、上記ピニオン33を上記ピニオン保持筒部32内に係止している。上記ピニオン33の一端にはハンドル装着溝36が設けられ、このハンドル装着溝36にピニオン33を回転操作するクランクレバー状のハンドル37の一端部38が折畳可能に嵌着され、このハンドル37の他端には回転操作つまみ39が回転自在に軸着されている。
【００２８】
上記可動体15を介して上記ハンドル37とは反対側には、上記可動体15に対する上記長尺支持体17の軸方向移動を係止するサイドストッパ41が配置され、このサイドストッパ41のネジ部42が、上記可動体15に設けられたネジ穴（図に表われず）と螺合し、ねじ込み操作により任意摺動位置の上記長尺支持体17を押圧係止する。一方、上記操作筒18により被嵌された上記長尺支持体17の端部には、上記可動体15の端部と係合するエンドストッパ43が螺着され、ラック31・ピニオン33の噛合エンドで上記長尺支持体17のそれ以上の動きを規制している。
【００２９】
上記長尺支持体17の上記被支持体取付部16側から円筒スリーブ状の摩擦力付与体44が嵌着されている。この摩擦力付与体44には、上記長尺支持体17と上記可動体15との間に挿入可能な厚み部分45と挿入不可の厚み部分46とがテーパ面部47を介して形成され、全長にわたって径変化を可能とする割溝48が設けられている。また、上記長尺支持体17の上記被支持体取付部16側から摩擦力調整体49が上記長尺支持体17に嵌合されるとともに、上記可動体15の一方の螺合溝50に螺合され、上記摩擦力付与体44を押圧可能となっている。よって、上記摩擦力調整体49を螺入するほど、上記摩擦力付与体44を上記可動体15内に強く押圧して、大きな摩擦力を付与するよう調整できる。
【００３０】
上記長尺支持体17の上記被支持体取付部16は、ヘッド部材51を長尺支持体17の端部内の螺合溝に螺着しつつ、このヘッド部材51を貫通したネジ52を長尺支持体17の端部に固定する。このネジ52に、雲台を介してカメラなどを取り付けたり、カメラを直接取り付けようにする。
【００３１】
上記摩擦力付与体44の上記可動体15内への挿入可能な部分には、ピニオン33・ラック31の噛合を可能とする切欠部53が設けられ、また、上記摩擦力付与体44の一側部および他側部には、上記可動体15に形成された側孔54に嵌着されるとともに上記長尺支持体17の軸方向に形成された側溝55に摺動自在に嵌着された回転係止用の凸部56がそれぞれ一体に形成され、上記可動体15に対して上記長尺支持体17の回転のみを係止している。
【００３２】
上記操作筒18は、上記可動体15の他方の螺合溝57に螺合接続される外筒58と、この外筒58に一体的に嵌着されたグリップ59とを有し、上記操作筒18の螺進により上記角度調整機構14の角度調整機能を固定する角度固定機構61が設けられている。
【００３３】
上記角度固定機構61は、上記可動体15のピニオン保持筒部32より被支持体取付側に、円筒面状の回転体面62を有する一方の押圧部63が一体形成され、上記可動体15のピニオン保持筒部32より操作筒側に、円筒面状の回転体面64を有する他方の押圧部65が移動自在に嵌合され、この他方の押圧部65の回転体面64は、上記可動体15に螺合された上記操作筒18の螺進操作（すなわち角度調整機能を固定する操作）により上記一方の押圧部63に接近する方向へ移動可能に構成され、さらに、上記可動体15を両側から保持する上記１対の保持体23は、上記一方の押圧部63と上記他方の押圧部65の各回転体面62，64による挟圧により変形可能な１対の腕部66，67をスリット24を介してそれぞれ有している。
【００３４】
そして、上記一方の押圧部63と上記他方の押圧部65との挟圧により、上記１対の腕部66，67間の上記スリット24を狭めるように変形された上記各保持体23は、上記角度調整機構14の上記腑仰軸穴部25を縮径させて上記角度調整機構14を固定する機能を備えている。上記操作筒18の外筒58と上記他方の押圧部65との間には、２つのリング部材68，69が介在されている。
【００３５】
図５および図６に示されるように、上記１対の保持体23の一方の腕部66には、一方の押圧部63の凸状の回転体面62を凸凹反転させた凹状の回転体面71がそれぞれ形成され、上記１対の保持体23の他方の腕部67には、他方の押圧部65の凸状の回転体面64を凸凹反転させた凹状の回転体面72がそれぞれ形成され、これらの凹状の回転体面71，72内に一方および他方の押圧部63，65の各回転体面62，64が円滑に回転できるように嵌合されている。
【００３６】
上記回転体面62，64としては、図示された円筒面だけでなく、球面、円錐面、回転楕円体面（ラグビーボール状面）またはこれらと等価の機能を持つ接触面を用いてもよい。
【００３７】
図２に示されるように、上記１対の保持体23は、上記可動体15を挟むように介して４本の固定ネジ73により固定し、各保持体23の上記腑仰軸穴部25には、サイドカバー74を嵌着して上記腑仰軸体22の端面を覆うようにする。さらに、上記１対の保持体23は、上記１対の腕部66，67間に上記スリット24とともに穴部75をそれぞれ形成して、これらの穴部75を通して、上記ピニオン33および上記サイドストッパ41を上記可動体15にそれぞれ挿入する。
【００３８】
次に、図示された実施の形態の作用を説明する。
【００３９】
図３は、長尺支持体17を昇降可能なオフセット型のセンターポールまたはセンターコラムとして用いる場合を示し、図２に示されたサイドストッパ41を緩め、ハンドル37を回してピニオン33を回転させることで、このピニオン33と噛み合うラック31が形成された長尺支持体17を昇降させ、上記被支持体取付部16に雲台（図示せず）を介して、または直接取り付けられたカメラ（図示せず）の高さを調整し、サイドストッパ41を締めて長尺支持体17の昇降を固定する。
【００４０】
図４は、長尺支持体17を傾斜させて用いる場合を示し、図３に示された状態から、操作筒18を反時計回りに捻って螺退させることにより、図５（ａ）および図６（ａ）に示されるように、図５（ｂ）および図６（ｂ）に示される固定状態より、一方の押圧部63に対し他方の押圧部65を後退させ、一方の押圧部63と他方の押圧部65とにより１対の保持体23の各腕部66，67を挟圧する力を解除し、これにより、１対の保持体23の腕部66，67間のスリット24が開くように変形して、腑仰軸穴部25が拡径変化するので、保持体23は腑仰軸体22を中心として回動可能となり、同時に、腑仰軸体22の複数の腑仰軸部材22a，22bにより旋回軸体21を挟圧する力も解除されるので、腑仰軸体22は旋回軸体21を中心として回動可能となり、よって、１対の保持体23によって保持された長尺支持体17を、操作筒18によって腑仰軸回りおよび旋回軸回りに自在に回動調整することが可能となる。
【００４１】
一方、図５（ａ）および図６（ａ）に示された状態から、操作筒18を時計回りに捻って螺進させることにより、図５（ｂ）および図６（ｂ）に示されるように、一方の押圧部63と他方の押圧部65との挟圧作用により保持体23の腕部66，67間のスリット24が閉じるように変形すると、保持体23の腑仰軸穴部25が図５（ｂ）および図６（ｂ）に示されるように縮径変化して腑仰軸体22を挟圧するので、腑仰軸体22を中心とする回動可能状態が固定され、同時に、腑仰軸体22の複数の腑仰軸部材22a，22bが旋回軸体21も挟圧するので、旋回軸体21を中心とする回動可能状態も固定され、腑仰軸回りおよび旋回軸回りの回動が同時に固定される。
【００４２】
図６（ａ）から（ｂ）に示されるように、一方の押圧部63と他方の押圧部65との挟圧作用により保持体23の角度調整機能を固定操作する際には、上記保持体23の腑仰軸穴部25の変形により腕部66，67に角度変化が生じるが、この保持体23の角度変化は、一方の押圧部63および他方の押圧部65の各回転体面62，64と腕部66，67の各回転体面71，72との間で生じる回転すべり運動により吸収し、一方の押圧部63および他方の押圧部65は角度変化することなく相互に接近するので、これらの押圧部63，65を貫通する長尺支持体17も上記固定操作時に角度変化することはない。
【００４３】
これに対して、図７は、角度調整機能を固定操作する際に発生する問題点を説明するための比較例を示し、保持体81の一方の腕部82に設けられた穴83を通して遊嵌された操作筒84の先端ネジ部85を、保持体81の他方の腕部86に設けられたネジ穴に螺合し、操作筒84の一部に係止されたストッパ87を保持体81の一方の腕部82に係合し、そして、操作筒84を捻って保持体81の一方の腕部82と他方の腕部86との間のスリット88を閉じる方向に挟圧し、保持体81の腑仰軸穴部89を縮径変形させる場合は、保持体81の両方の腕部82，86が２点鎖線で示されるように変形しつつ傾斜するので、腕部86のネジ穴に螺合された操作筒84の軸線84aは、図７に２点鎖線で示されるように角度変化し、この操作筒84に嵌合された長尺支持体91も同様に角度変化し、その先端にある被支持体取付部92は、矢印93で示されるように上方へ回動するように誤作動するおそれがある。
【００４４】
次に、図示された実施の形態の効果を説明する。
【００４５】
上記角度調整機構14により角度調整される上記可動体15に対し上記長尺支持体17を軸方向に摺動して上記被支持体取付部16の位置を変化させても、被支持体取付部16とは反対側から上記長尺支持体17に被嵌されるとともに上記可動体15に接続された上記操作筒18は、その把持する位置を変化させなくてもよいので、上記操作筒18により上記可動体15を介して上記長尺支持体17を希望する任意の方向に容易に角度調整操作でき、操作性を向上できる。
【００４６】
上記角度固定機構61により上記角度調整機構14を固定操作する際に生じる上記保持体23の変形による角度変化を、上記一方の押圧部63および上記他方の押圧部65の各回転体面62，64で吸収し、一方の押圧部63および他方の押圧部65は角度変化することなく相互に接近するので、上記固定操作時に上記長尺支持体17が、図７に示された長尺支持体91のように角度変化することを防止でき、上記角度固定機構61を固定操作したときに発生しやすい長尺支持体17の誤作動をなくして、正確な操作を容易に実現できる。
【００４７】
上記操作筒18を動かして上記角度調整機構14により上記長尺支持体17を角度調整するとともに、その角度調整後の操作筒18を捻ることにより、上記角度固定機構61を働かせて上記角度調整機構14の角度調整機能を固定するので、上記長尺支持体17の角度を容易に固定することができ、より操作性を向上できる。
【００４８】
上記操作筒18を捻ることにより、上記一方の押圧部63と上記他方の押圧部65との挟圧作用により上記保持体23を変形させて上記角度調整機構14を固定操作すると、上記保持体23の上記腑仰軸穴部25が縮径動作して上記腑仰軸体22を挟圧することで、上記腑仰軸体22を中心とする回動可能状態を固定できるとともに、上記旋回軸体21を挟むように上記旋回軸体21に回動可能に嵌合された複数の腑仰軸部材22a，22bからなる上記腑仰軸体22により上記旋回軸体21も挟圧されるので、同時に上記旋回軸体21を中心とする回動可能状態を固定でき、腑仰軸回りの固定と旋回軸回りの固定とを同時に固定できることから、より操作性を向上できる。
【００４９】
上記可動体15に対する上記長尺支持体17の移動を、上記長尺支持体17の上記ラック31と噛合する上記ピニオン33をハンドル37で回転動作させることにより容易に行なうことができ、上記長尺支持体17を直接把持して軸方向移動する場合よりも、操作性を向上できる。
【００５０】
上記可動体15に螺合された上記摩擦力調整体49により適度に押圧調整された上記摩擦力付与体44により、上記長尺支持体17に適切な摩擦力を付与したので、上記可動体15と上記長尺支持体17との間の隙間などによる不安定な動きをなくして、上記長尺支持体17を円滑に動かすことができ、この点で操作性を向上できる。
【００５１】
上記脚12上に取り付けられた上記支持装置11において、上記可動体15に対し上記長尺支持体17を摺動して雲台またはカメラなどの被支持体の位置を変化させても、上記操作筒18を把持する位置は変化しないので、上記操作筒18により上記可動体15を介して上記長尺支持体17を所定の方向に容易に角度調整操作でき、操作性の優れた脚装置13を提供できる。
【００５２】
本発明に係る支持装置11は、カメラ用のみならず、望遠鏡、測量用器具などを支える三脚などにも適用でき、また、本発明に係る脚装置13は、三脚のみならず一脚にも適用できる。
【産業上の利用可能性】
【００５３】
本発明は、支持装置11および脚装置13を業として製造、販売するものにとって利用可能である。
【符号の説明】
【００５４】
11    支持装置
12    脚
13    脚装置
14    角度調整機構
15    可動体
16    被支持体取付部
17    長尺支持体
18    操作筒
21    旋回軸体
22    腑仰軸体
22a，22b    腑仰軸部材
23    保持体
25    腑仰軸穴部
31    ラック
33    ピニオン
37    ハンドル
44    摩擦力付与体
47    テーパ面部
61    角度固定機構
62    回転体面
63    一方の押圧部
64    回転体面
65    他方の押圧部
【図１】
2011083615.tif 000003
【図２】
2011083615.tif 000004
【図３】
2011083615.tif 000005
【図４】
2011083615.tif 000006
【図５】
2011083615.tif 000007
【図６】
2011083615.tif 000008
【図７】
2011083615.tif 000009
【図８】
2011083615.tif 000010
【図９】
2011083615.tif 000011
【手続補正書】
【提出日】平成23年11月16日(2011.11.16)
【手続補正１】
【補正対象書類名】明細書
【補正対象項目名】全文
【補正方法】変更
【補正の内容】
【発明の詳細な説明】
【技術分野】
【０００１】
本発明は、カメラを支持する支持装置および脚装置に関する。
【背景技術】
【０００２】
従来、図８に示されるような支持装置１を、三脚２の上部に取り付けた脚装置がある。すなわち、この支持装置１は、角度調整のための角度調整機構３により角度調整可能に支持された可動体４により、長尺支持体５を長手方向摺動可能に保持し、この長尺支持体５の先端側にカメラ６の雲台７を取り付けるようにした脚装置である（非特許文献１参照）。
【０００３】
そして、図９に示されるように、このような脚装置は、雲台７の角度調整機能では対応できない場所８にある被写体９を撮影する場合に、長尺支持体５を前方に引き出しつつ雲台７の角度調整機能により、カメラ６を希望する場所および方向にセットすることができる。長尺支持体５を垂直に立てることも可能であり、その場合は、長尺支持体５が昇降可能なオフセット型のセンターポールとして機能する。
【先行技術文献】
【非特許文献】
【０００４】
【非特許文献１】三脚および雲台カタログ「ＧＩＴＺＯ  focus on forever」2009-2010要約版  第６頁
【発明の概要】
【発明が解決しようとする課題】
【０００５】
上記のような脚装置は、長尺支持体５を操作し難い問題がある。特に、図９に示されるように、長尺支持体５の大部分を前方に引き出した場合、三脚２の後方に立たざるをえない撮影者は、三脚２を介して前方に手を伸ばし、長尺支持体５を把持してこの長尺支持体５の角度を調整するが、そのような姿勢で微妙な調整操作を行なうことは容易でない。
【０００６】
本発明は、このような点に鑑みなされたもので、長尺支持体を有する支持装置において、操作性の向上を図れる支持装置と、その支持装置を用いた脚装置とを提供することを目的とする。
【課題を解決するための手段】
【０００７】
請求項１に記載された発明は、脚の上部に取り付けられる垂直方向の軸線を有する旋回軸体、およびこの旋回軸体に回動可能に嵌合された水平方向の軸線を有する腑仰軸体を備えた角度調整のための角度調整機構と、上記角度調整機構の上記旋回軸体を中心として上記脚の上部に対し旋回軸回りに角度調整可能に支持されるとともに、上記角度調整機構の上記腑仰軸体を中心として上記脚の上部に対し腑仰軸回りに角度調整可能に支持された筒状の穴部を有する可動体と、上記可動体の穴部の内周面により筒状の穴部の軸方向である長手方向に摺動可能に保持された軸状部材であって、この軸状部材の一端側に被支持体を取り付ける被支持体取付部が設けられた長尺支持体と、上記長尺支持体の被支持体取付部が設けられた軸状部材の一端側とは反対側から上記長尺支持体に被嵌されるとともに上記可動体に接続された角度調整操作用の操作筒とを具備した支持装置である。
【０００８】
請求項２に記載された発明は、請求項１記載の支持装置において、上記角度調整機構の角度調整機能を固定する角度固定機構を備え、上記角度固定機構は、上記可動体に一体形成された回転体面を有する一方の押圧部と、上記可動体に移動自在に嵌合され角度調整機能を固定する操作により上記一方の押圧部に接近する方向へ移動可能な回転体面を有する他方の押圧部が設けられた押圧部材と、上記可動体を保持するとともに上記一方の押圧部と上記他方の押圧部の各回転体面により挟圧されて変形することで上記角度調整機構の腑仰軸体を挟圧すると同時にこの腑仰軸体を介して旋回軸体を挟圧して腑仰軸回りおよび旋回軸回りの回動を固定する保持体とを具備した支持装置である。
【０００９】
請求項３に記載された発明は、請求項２記載の支持装置において、上記操作筒が、上記可動体に螺合接続され、上記角度固定機構は、上記操作筒の螺進により上記一方の押圧部と上記他方の押圧部の各回転体面により上記保持体を挟圧して上記角度調整機構の角度調整機能を固定する支持装置である。
【００１０】
請求項４に記載された発明は、請求項２または３記載の支持装置において、上記角度調整機構が、上記脚の上部に取り付けられる旋回軸体と、上記旋回軸体を挟むように上記旋回軸体に回動可能に嵌合された複数の腑仰軸部材からなる腑仰軸体と、上記一方の押圧部と上記他方の押圧部との挟圧により上記保持体に縮径可能に形成されて上記腑仰軸体に回動可能に嵌合された腑仰軸穴部とを具備した支持装置である。
【００１１】
請求項５に記載された発明は、請求項１乃至４のいずれか記載の支持装置において、上記長尺支持体に形成されたラックと、上記可動体に一体に形成されたピニオン保持筒部を通して上記可動体の内部に挿入され上記ラックと噛合されたピニオンと、上記ピニオンを回転操作するハンドルとを具備した支持装置である。
【００１２】
請求項６に記載された発明は、請求項１乃至５のいずれか記載の支持装置において、上記長尺支持体は軸状部材であって、上記可動体には上記長尺支持体が挿通する穴部が設けられ、上記長尺支持体の上記被支持体取付部側から上記長尺支持体の外周面と上記可動体の穴部の内周面との間に挿入可能な厚みと挿入不可の厚みとをテーパ面部を介して形成した筒状の摩擦力付与体と、上記長尺支持体の上記被支持体取付部側から上記長尺支持体に嵌合されるとともに上記可動体に螺合されて上記摩擦力付与体を押圧可能な摩擦力調整体とを具備した支持装置である。
【００１３】
請求項７に記載された発明は、脚と、上記脚の上部に位置する請求項１乃至６のいずれか記載の支持装置とを具備した脚装置である。
【発明の効果】
【００１４】
請求項１記載の発明によれば、上記角度調整機構により角度調整される上記可動体に対し上記長尺支持体を摺動して上記被支持体取付部の位置を変化させても、上記長尺支持体の被支持体取付部とは反対側から上記長尺支持体に被嵌されるとともに上記可動体に接続された上記操作筒は、その把持する位置を変化させなくてもよいので、上記操作筒により上記可動体を介して上記長尺支持体を希望する任意の方向に容易に角度調整操作でき、操作性を向上できる。
【００１５】
請求項２記載の発明によれば、上記角度固定機構により上記角度調整機構を固定操作する際に生じる上記保持体の変形による角度変化を、上記一方の押圧部および上記他方の押圧部の各回転体面で吸収し、上記一方の押圧部および上記他方の押圧部は角度変化することなく相互に接近するので、上記固定操作時に上記長尺支持体が角度変化することを防止でき、上記角度固定機構を固定操作したときに発生しやすい長尺支持体の誤作動をなくして、正確な操作を容易に実現できる。
【００１６】
請求項３記載の発明によれば、上記操作筒を動かして上記角度調整機構により上記長尺支持体を角度調整するとともに、その角度調整後の操作筒を捻ることにより、上記角度固定機構を働かせて上記角度調整機構の角度調整機能を固定し、上記長尺支持体の角度を容易に固定することができ、より操作性を向上できる。
【００１７】
請求項４記載の発明によれば、上記一方の押圧部と上記他方の押圧部との挟圧により上記保持体を変形させて上記角度調整機構を固定操作すると、上記保持体の上記腑仰軸穴部が縮径動作して上記腑仰軸体を挟圧することで、上記腑仰軸体を中心とする回動可能状態を固定できるとともに、上記旋回軸体を挟むように上記旋回軸体に回動可能に嵌合された複数の腑仰軸部材からなる上記腑仰軸体により上記旋回軸体も挟圧されるので、同時に上記旋回軸体を中心とする回動可能状態を固定でき、腑仰軸回りの固定と旋回軸回りの固定とを同時に固定できることから、より操作性を向上できる。
【００１８】
請求項５記載の発明によれば、上記可動体に対する上記長尺支持体の移動を、上記ラックと噛合する上記ピニオンをハンドルで回転動作することにより容易に行なうことができ、上記長尺支持体を直接把持して軸方向移動する場合よりも、操作性を向上できる。
【００１９】
請求項６記載の発明によれば、上記可動体に螺合された上記摩擦力調整体により適度に押圧調整された上記摩擦力付与体により、上記長尺支持体に適切な摩擦力を付与したので、上記可動体と上記長尺支持体との間の隙間などによる不安定な動きをなくして、上記長尺支持体を円滑に動かすことができ、この点で操作性を向上できる。
【００２０】
請求項７記載の発明によれば、上記脚の上部に位置する上記支持装置において、上記可動体に対し上記長尺支持体を摺動して上記被支持体の位置を変化させても、上記操作筒を把持する位置は変化しないので、上記操作筒により上記可動体を介して上記長尺支持体を所定の方向に容易に角度調整操作でき、操作性の優れた脚装置を提供できる。
【図面の簡単な説明】
【００２１】
【図１】本発明に係る支持装置の一実施の形態を示す斜視図である。
【図２】同上アダプタの分解斜視図である。
【図３】同上アダプタを脚に取り付けた脚装置の一実施の形態を示す側面図である。
【図４】同上脚装置の長尺支持体を斜めにした状態を示す斜視図である。
【図５】（ａ）は同上長尺支持体を角度調整可能とした状態を示す一部を破断した正面図、（ｂ）は同上長尺支持体の角度調整機能を固定した状態を示す一部を破断した正面図である。
【図６】（ａ）は同上長尺支持体を角度調整可能としたときの角度固定機構を示す説明図、（ｂ）は同上長尺支持体の角度調整機能を固定したときの角度固定機構を示す説明図である。
【図７】上記角度調整機能を固定操作する際に発生する問題点を説明するための比較例を示す断面図である。
【図８】従来の脚装置を示す斜視図である。
【図９】従来の脚装置の使用例を示す側面図である。
【発明を実施するための形態】
【００２２】
以下、本発明を、図１乃至図６に示された一実施の形態に基いて詳細に説明する。
【００２３】
図１および図２は、支持装置11を示し、図３および図４は、その支持装置11が脚12の上部に位置する脚装置13を示す。支持装置11は、脚12の上部と別体に構成され、脚アダプタとして取り外し可能であることが望ましいが、脚12の上部と一体的に構成してもよい。
【００２４】
図１および図２に示されるように、支持装置11は、脚12の上部に取り付け可能な角度調整のための角度調整機構14と、上記角度調整機構14により角度調整可能に支持された可動体15と、上記可動体15により長手方向摺動可能に保持され先端側に雲台またはカメラなどの被支持体を取り付ける被支持体取付部16が設けられた長尺支持体17と、上記長尺支持体17の被支持体取付部16とは反対側から上記長尺支持体17に被嵌されるとともに上記可動体15に接続された角度調整操作用の操作筒18とを具備している。
【００２５】
図２に示されるように、上記角度調整機構14は、上記脚12の上部に別体または一体的に取り付けられる垂直方向の軸線を有する旋回軸体21に、この旋回軸体21を挟むように複数の腑仰軸部材22a，22bからなる水平方向の軸線を有する腑仰軸体22が回動可能に嵌合され、上記可動体15を両側から保持する１対の保持体23のオフセット位置に、スリット24により縮径可能に腑仰軸穴部25が形成され、この腑仰軸穴部25に上記腑仰軸体22が回動可能に嵌合されたものである。上記複数の腑仰軸部材22a，22bは、１対のネジ（図示せず）により上記旋回軸体21を挟んで固定するとともに、一側の腑仰軸部材22aから螺入したネジ26を上記旋回軸体21の環状溝27に係合して、上記腑仰軸体22の抜止を図る。
【００２６】
上記長尺支持体17の上面にはラック31が形成され、一方、上記可動体15にはピニオン保持筒部32が一体に形成され、このピニオン保持筒部32により上記可動体15を通して内部に挿入されたピニオン33が回転自在に保持され、上記ラック31と噛合されている。
【００２７】
上記ピニオン33の軸部には環状溝34が形成され、上記可動体15の上側から上記ピニオン保持筒部32内の片側部に螺入されたネジ35が上記環状溝34に係合して、上記ピニオン33を上記ピニオン保持筒部32内に係止している。上記ピニオン33の一端にはハンドル装着溝36が設けられ、このハンドル装着溝36にピニオン33を回転操作するクランクレバー状のハンドル37の一端部38が折畳可能に嵌着され、このハンドル37の他端には回転操作つまみ39が回転自在に軸着されている。
【００２８】
上記可動体15を介して上記ハンドル37とは反対側には、上記可動体15に対する上記長尺支持体17の軸方向移動を係止するサイドストッパ41が配置され、このサイドストッパ41のネジ部42が、上記可動体15に設けられたネジ穴（図に表われず）と螺合し、ねじ込み操作により任意摺動位置の上記長尺支持体17を押圧係止する。一方、上記操作筒18により被嵌された上記長尺支持体17の端部には、上記可動体15の端部と係合するエンドストッパ43が螺着され、ラック31・ピニオン33の噛合エンドで上記長尺支持体17のそれ以上の動きを規制している。
【００２９】
上記長尺支持体17の上記被支持体取付部16側から円筒スリーブ状の摩擦力付与体44が嵌着されている。この摩擦力付与体44には、上記長尺支持体17と上記可動体15との間に挿入可能な厚み部分45と挿入不可の厚み部分46とがテーパ面部47を介して形成され、全長にわたって径変化を可能とする割溝48が設けられている。また、上記長尺支持体17の上記被支持体取付部16側から摩擦力調整体49が上記長尺支持体17に嵌合されるとともに、上記可動体15の一方の螺合溝50に螺合され、上記摩擦力付与体44を押圧可能となっている。よって、上記摩擦力調整体49を螺入するほど、上記摩擦力付与体44を上記可動体15内に強く押圧して、大きな摩擦力を付与するよう調整できる。
【００３０】
上記長尺支持体17の上記被支持体取付部16は、ヘッド部材51を長尺支持体17の端部内の螺合溝に螺着しつつ、このヘッド部材51を貫通したネジ52を長尺支持体17の端部に固定する。このネジ52に、雲台を介してカメラなどを取り付けたり、カメラを直接取り付けようにする。
【００３１】
上記摩擦力付与体44の上記可動体15内への挿入可能な部分には、ピニオン33・ラック31の噛合を可能とする切欠部53が設けられ、また、上記摩擦力付与体44の一側部および他側部には、上記可動体15に形成された側孔54に嵌着されるとともに上記長尺支持体17の軸方向に形成された側溝55に摺動自在に嵌着された回転係止用の凸部56がそれぞれ一体に形成され、上記可動体15に対して上記長尺支持体17の回転のみを係止している。
【００３２】
上記操作筒18は、上記可動体15の他方の螺合溝57に螺合接続される外筒58と、この外筒58に一体的に嵌着されたグリップ59とを有し、上記操作筒18の螺進により上記角度調整機構14の角度調整機能を固定する角度固定機構61が設けられている。
【００３３】
上記角度固定機構61は、上記可動体15のピニオン保持筒部32より被支持体取付側に、円筒面状の回転体面62を有する一方の押圧部63が一体形成され、上記可動体15のピニオン保持筒部32より操作筒側に、円筒面状の回転体面64を有する他方の押圧部65が設けられた押圧部材が移動自在に嵌合され、この他方の押圧部65の回転体面64は、上記可動体15に螺合された上記操作筒18の螺進操作（すなわち角度調整機能を固定する操作）により上記一方の押圧部63に接近する方向へ移動可能に構成され、さらに、上記可動体15を両側から保持する上記１対の保持体23は、上記一方の押圧部63と上記他方の押圧部65の各回転体面62，64による挟圧により変形可能な１対の腕部66，67をスリット24を介してそれぞれ有している。
【００３４】
そして、上記一方の押圧部63と上記他方の押圧部65との挟圧により、上記１対の腕部66，67間の上記スリット24を狭めるように変形された上記各保持体23は、上記角度調整機構14の上記腑仰軸穴部25を縮径させて上記角度調整機構14を固定する機能を備えている。上記操作筒18の外筒58と上記他方の押圧部65との間には、２つのリング部材68，69が介在されている。
【００３５】
図５および図６に示されるように、上記１対の保持体23の一方の腕部66には、一方の押圧部63の凸状の回転体面62を凸凹反転させた凹状の回転体面71がそれぞれ形成され、上記１対の保持体23の他方の腕部67には、他方の押圧部65の凸状の回転体面64を凸凹反転させた凹状の回転体面72がそれぞれ形成され、これらの凹状の回転体面71，72内に一方および他方の押圧部63，65の各回転体面62，64が円滑に回転できるように嵌合されている。
【００３６】
上記回転体面62，64としては、図示された円筒面だけでなく、球面、円錐面、回転楕円体面（ラグビーボール状面）またはこれらと等価の機能を持つ接触面を用いてもよい。
【００３７】
図２に示されるように、上記１対の保持体23は、上記可動体15を挟むように介して４本の固定ネジ73により固定し、各保持体23の上記腑仰軸穴部25には、サイドカバー74を嵌着して上記腑仰軸体22の端面を覆うようにする。さらに、上記１対の保持体23は、上記１対の腕部66，67間に上記スリット24とともに穴部75をそれぞれ形成して、これらの穴部75を通して、上記ピニオン33および上記サイドストッパ41を上記可動体15にそれぞれ挿入する。
【００３８】
次に、図示された実施の形態の作用を説明する。
【００３９】
図３は、長尺支持体17を昇降可能なオフセット型のセンターポールまたはセンターコラムとして用いる場合を示し、図２に示されたサイドストッパ41を緩め、ハンドル37を回してピニオン33を回転させることで、このピニオン33と噛み合うラック31が形成された長尺支持体17を昇降させ、上記被支持体取付部16に雲台（図示せず）を介して、または直接取り付けられたカメラ（図示せず）の高さを調整し、サイドストッパ41を締めて長尺支持体17の昇降を固定する。
【００４０】
図４は、長尺支持体17を傾斜させて用いる場合を示し、図３に示された状態から、操作筒18を反時計回りに捻って螺退させることにより、図５（ａ）および図６（ａ）に示されるように、図５（ｂ）および図６（ｂ）に示される固定状態より、一方の押圧部63に対し他方の押圧部65を後退させ、一方の押圧部63と他方の押圧部65とにより１対の保持体23の各腕部66，67を挟圧する力を解除し、これにより、１対の保持体23の腕部66，67間のスリット24が開くように変形して、腑仰軸穴部25が拡径変化するので、保持体23は腑仰軸体22を中心として回動可能となり、同時に、腑仰軸体22の複数の腑仰軸部材22a，22bにより旋回軸体21を挟圧する力も解除されるので、腑仰軸体22は旋回軸体21を中心として回動可能となり、よって、１対の保持体23によって保持された長尺支持体17を、操作筒18によって腑仰軸回りおよび旋回軸回りに自在に回動調整することが可能となる。
【００４１】
一方、図５（ａ）および図６（ａ）に示された状態から、操作筒18を時計回りに捻って螺進させることにより、図５（ｂ）および図６（ｂ）に示されるように、一方の押圧部63と他方の押圧部65との挟圧作用により保持体23の腕部66，67間のスリット24が閉じるように変形すると、保持体23の腑仰軸穴部25が図５（ｂ）および図６（ｂ）に示されるように縮径変化して腑仰軸体22を挟圧するので、腑仰軸体22を中心とする回動可能状態が固定され、同時に、腑仰軸体22の複数の腑仰軸部材22a，22bが旋回軸体21も挟圧するので、旋回軸体21を中心とする回動可能状態も固定され、腑仰軸回りおよび旋回軸回りの回動が同時に固定される。
【００４２】
図６（ａ）から（ｂ）に示されるように、一方の押圧部63と他方の押圧部65との挟圧作用により保持体23の角度調整機能を固定操作する際には、上記保持体23の腑仰軸穴部25の変形により腕部66，67に角度変化が生じるが、この保持体23の角度変化は、一方の押圧部63および他方の押圧部65の各回転体面62，64と腕部66，67の各回転体面71，72との間で生じる回転すべり運動により吸収し、一方の押圧部63および他方の押圧部65は角度変化することなく相互に接近するので、これらの押圧部63，65を貫通する長尺支持体17も上記固定操作時に角度変化することはない。
【００４３】
これに対して、図７は、角度調整機能を固定操作する際に発生する問題点を説明するための比較例を示し、保持体81の一方の腕部82に設けられた穴83を通して遊嵌された操作筒84の先端ネジ部85を、保持体81の他方の腕部86に設けられたネジ穴に螺合し、操作筒84の一部に係止されたストッパ87を保持体81の一方の腕部82に係合し、そして、操作筒84を捻って保持体81の一方の腕部82と他方の腕部86との間のスリット88を閉じる方向に挟圧し、保持体81の腑仰軸穴部89を縮径変形させる場合は、保持体81の両方の腕部82，86が２点鎖線で示されるように変形しつつ傾斜するので、腕部86のネジ穴に螺合された操作筒84の軸線84aは、図７に２点鎖線で示されるように角度変化し、この操作筒84に嵌合された長尺支持体91も同様に角度変化し、その先端にある被支持体取付部92は、矢印93で示されるように上方へ回動するように誤作動するおそれがある。
【００４４】
次に、図示された実施の形態の効果を説明する。
【００４５】
上記角度調整機構14により角度調整される上記可動体15に対し上記長尺支持体17を軸方向に摺動して上記被支持体取付部16の位置を変化させても、被支持体取付部16とは反対側から上記長尺支持体17に被嵌されるとともに上記可動体15に接続された上記操作筒18は、その把持する位置を変化させなくてもよいので、上記操作筒18により上記可動体15を介して上記長尺支持体17を希望する任意の方向に容易に角度調整操作でき、操作性を向上できる。
【００４６】
上記角度固定機構61により上記角度調整機構14を固定操作する際に生じる上記保持体23の変形による角度変化を、上記一方の押圧部63および上記他方の押圧部65の各回転体面62，64で吸収し、一方の押圧部63および他方の押圧部65は角度変化することなく相互に接近するので、上記固定操作時に上記長尺支持体17が、図７に示された長尺支持体91のように角度変化することを防止でき、上記角度固定機構61を固定操作したときに発生しやすい長尺支持体17の誤作動をなくして、正確な操作を容易に実現できる。
【００４７】
上記操作筒18を動かして上記角度調整機構14により上記長尺支持体17を角度調整するとともに、その角度調整後の操作筒18を捻ることにより、上記角度固定機構61を働かせて上記角度調整機構14の角度調整機能を固定するので、上記長尺支持体17の角度を容易に固定することができ、より操作性を向上できる。
【００４８】
上記操作筒18を捻ることにより、上記一方の押圧部63と上記他方の押圧部65との挟圧作用により上記保持体23を変形させて上記角度調整機構14を固定操作すると、上記保持体23の上記腑仰軸穴部25が縮径動作して上記腑仰軸体22を挟圧することで、上記腑仰軸体22を中心とする回動可能状態を固定できるとともに、上記旋回軸体21を挟むように上記旋回軸体21に回動可能に嵌合された複数の腑仰軸部材22a，22bからなる上記腑仰軸体22により上記旋回軸体21も挟圧されるので、同時に上記旋回軸体21を中心とする回動可能状態を固定でき、腑仰軸回りの固定と旋回軸回りの固定とを同時に固定できることから、より操作性を向上できる。
【００４９】
上記可動体15に対する上記長尺支持体17の移動を、上記長尺支持体17の上記ラック31と噛合する上記ピニオン33をハンドル37で回転動作させることにより容易に行なうことができ、上記長尺支持体17を直接把持して軸方向移動する場合よりも、操作性を向上できる。
【００５０】
上記可動体15に螺合された上記摩擦力調整体49により適度に押圧調整された上記摩擦力付与体44により、上記長尺支持体17に適切な摩擦力を付与したので、上記可動体15と上記長尺支持体17との間の隙間などによる不安定な動きをなくして、上記長尺支持体17を円滑に動かすことができ、この点で操作性を向上できる。
【００５１】
上記脚12上に取り付けられた上記支持装置11において、上記可動体15に対し上記長尺支持体17を摺動して雲台またはカメラなどの被支持体の位置を変化させても、上記操作筒18を把持する位置は変化しないので、上記操作筒18により上記可動体15を介して上記長尺支持体17を所定の方向に容易に角度調整操作でき、操作性の優れた脚装置13を提供できる。
【００５２】
本発明に係る支持装置11は、カメラ用のみならず、望遠鏡、測量用器具などを支える三脚などにも適用でき、また、本発明に係る脚装置13は、三脚のみならず一脚にも適用できる。
【産業上の利用可能性】
【００５３】
本発明は、支持装置11および脚装置13を業として製造、販売するものにとって利用可能である。
【符号の説明】
【００５４】
11    支持装置
12    脚
13    脚装置
14    角度調整機構
15    可動体
16    被支持体取付部
17    長尺支持体
18    操作筒
21    旋回軸体
22    腑仰軸体
22a，22b    腑仰軸部材
23    保持体
25    腑仰軸穴部
31    ラック
32 ピニオン保持筒部
33    ピニオン
37    ハンドル
44    摩擦力付与体
47    テーパ面部
49 摩擦力調整体
61    角度固定機構
62    回転体面
63    一方の押圧部
64    回転体面
65    他方の押圧部
【手続補正２】
【補正対象書類名】特許請求の範囲
【補正対象項目名】全文
【補正方法】変更
【補正の内容】
【特許請求の範囲】
【請求項１】
脚の上部に取り付けられる垂直方向の軸線を有する旋回軸体、およびこの旋回軸体に回動可能に嵌合された水平方向の軸線を有する腑仰軸体を備えた角度調整のための角度調整機構と、
上記角度調整機構の上記旋回軸体を中心として上記脚の上部に対し旋回軸回りに角度調整可能に支持されるとともに、上記角度調整機構の上記腑仰軸体を中心として上記脚の上部に対し腑仰軸回りに角度調整可能に支持された筒状の穴部を有する可動体と、
上記可動体の穴部の内周面により筒状の穴部の軸方向である長手方向に摺動可能に保持された軸状部材であって、この軸状部材の一端側に被支持体を取り付ける被支持体取付部が設けられた長尺支持体と、
上記長尺支持体の被支持体取付部が設けられた軸状部材の一端側とは反対側から上記長尺支持体に被嵌されるとともに上記可動体に接続された角度調整操作用の操作筒と
を具備したことを特徴とする支持装置。
【請求項２】
上記角度調整機構の角度調整機能を固定する角度固定機構を備え、
上記角度固定機構は、
上記可動体に一体形成された回転体面を有する一方の押圧部と、
上記可動体に移動自在に嵌合され角度調整機能を固定する操作により上記一方の押圧部に接近する方向へ移動可能な回転体面を有する他方の押圧部が設けられた押圧部材と、
上記可動体を保持するとともに上記一方の押圧部と上記他方の押圧部の各回転体面により挟圧されて変形することで上記角度調整機構の腑仰軸体を挟圧すると同時にこの腑仰軸体を介して旋回軸体を挟圧して腑仰軸回りおよび旋回軸回りの回動を固定する保持体と
を具備したことを特徴とする請求項１記載の支持装置。
【請求項３】
上記操作筒は、上記可動体に螺合接続され、
上記角度固定機構は、上記操作筒の螺進により上記一方の押圧部と上記他方の押圧部の各回転体面により上記保持体を挟圧して上記角度調整機構の角度調整機能を固定する
ことを特徴とする請求項２記載の支持装置。
【請求項４】
上記角度調整機構は、
上記脚の上部に取り付けられる旋回軸体と、
上記旋回軸体を挟むように上記旋回軸体に回動可能に嵌合された複数の腑仰軸部材からなる腑仰軸体と、
上記一方の押圧部と上記他方の押圧部との挟圧により上記保持体に縮径可能に形成されて上記腑仰軸体に回動可能に嵌合された腑仰軸穴部と
を具備したことを特徴とする請求項２または３記載の支持装置。
【請求項５】
上記長尺支持体に形成されたラックと、
上記可動体に一体に形成されたピニオン保持筒部を通して上記可動体の内部に挿入され上記ラックと噛合されたピニオンと、
上記ピニオンを回転操作するハンドルと
を具備したことを特徴とする請求項１乃至４のいずれか記載の支持装置。
【請求項６】
上記長尺支持体は軸状部材であって、上記可動体には上記長尺支持体が挿通する穴部が設けられ、
上記長尺支持体の上記被支持体取付部側から上記長尺支持体の外周面と上記可動体の穴部の内周面との間に挿入可能な厚みと挿入不可の厚みとをテーパ面部を介して形成した筒状の摩擦力付与体と、
上記長尺支持体の上記被支持体取付部側から上記長尺支持体に嵌合されるとともに上記可動体に螺合されて上記摩擦力付与体を押圧可能な摩擦力調整体と
を具備したことを特徴とする請求項１乃至５のいずれか記載の支持装置。
【請求項７】
脚と、
上記脚の上部に位置する請求項１乃至６のいずれか記載の支持装置と
を具備したことを特徴とする脚装置。
【手続補正書】
【提出日】平成24年2月28日(2012.2.28)
【手続補正１】
【補正対象書類名】明細書
【補正対象項目名】０００７
【補正方法】変更
【補正の内容】
【０００７】
請求項１に記載された発明は、脚の上部に取り付けられる垂直方向の軸線を有する旋回軸体、この旋回軸体に回動可能に嵌合された水平方向の軸線を有する腑仰軸体、およびこの腑仰軸体にそれぞれが回動可能に嵌合された１対の保持体を備えた角度調整のための角度調整機構と、上記角度調整機構の上記１対の保持体により外側から挟まれて保持され、上記旋回軸体を中心として上記脚の上部に対し旋回軸回りに角度調整可能に支持されるとともに、上記角度調整機構の上記腑仰軸体を中心として上記脚の上部に対し腑仰軸回りに角度調整可能に支持された筒状の穴部を有する可動体と、上記可動体の穴部の内周面により筒状の穴部の軸方向である長手方向に摺動可能に保持された軸状部材であって、この軸状部材の一端側に被支持体を取り付ける被支持体取付部が設けられた長尺支持体と、上記長尺支持体の被支持体取付部が設けられた軸状部材の一端側とは反対側から上記長尺支持体に被嵌されるとともに上記可動体に接続された角度調整操作用の操作筒とを具備した支持装置である。
【手続補正２】
【補正対象書類名】特許請求の範囲
【補正対象項目名】全文
【補正方法】変更
【補正の内容】
【特許請求の範囲】
【請求項１】
脚の上部に取り付けられる垂直方向の軸線を有する旋回軸体、この旋回軸体に回動可能に嵌合された水平方向の軸線を有する腑仰軸体、およびこの腑仰軸体にそれぞれが回動可能に嵌合された１対の保持体を備えた角度調整のための角度調整機構と、
上記角度調整機構の上記１対の保持体により外側から挟まれて保持され、上記旋回軸体を中心として上記脚の上部に対し旋回軸回りに角度調整可能に支持されるとともに、上記角度調整機構の上記腑仰軸体を中心として上記脚の上部に対し腑仰軸回りに角度調整可能に支持された筒状の穴部を有する可動体と、
上記可動体の穴部の内周面により筒状の穴部の軸方向である長手方向に摺動可能に保持された軸状部材であって、この軸状部材の一端側に被支持体を取り付ける被支持体取付部が設けられた長尺支持体と、
上記長尺支持体の被支持体取付部が設けられた軸状部材の一端側とは反対側から上記長尺支持体に被嵌されるとともに上記可動体に接続された角度調整操作用の操作筒と
を具備したことを特徴とする支持装置。
【請求項２】
上記角度調整機構の角度調整機能を固定する角度固定機構を備え、
上記角度固定機構は、
上記可動体に一体形成された回転体面を有する一方の押圧部と、
上記可動体に移動自在に嵌合され角度調整機能を固定する操作により上記一方の押圧部に接近する方向へ移動可能な回転体面を有する他方の押圧部が設けられた押圧部材と、
上記可動体を保持するとともに上記一方の押圧部と上記他方の押圧部の各回転体面により挟圧されて変形することで上記角度調整機構の腑仰軸体を挟圧すると同時にこの腑仰軸体を介して旋回軸体を挟圧して腑仰軸回りおよび旋回軸回りの回動を固定する保持体と
を具備したことを特徴とする請求項１記載の支持装置。
【請求項３】
上記操作筒は、上記可動体に螺合接続され、
上記角度固定機構は、上記操作筒の螺進により上記一方の押圧部と上記他方の押圧部の各回転体面により上記保持体を挟圧して上記角度調整機構の角度調整機能を固定する
ことを特徴とする請求項２記載の支持装置。
【請求項４】
上記角度調整機構は、
上記脚の上部に取り付けられる旋回軸体と、
上記旋回軸体を挟むように上記旋回軸体に回動可能に嵌合された複数の腑仰軸部材からなる腑仰軸体と、
上記一方の押圧部と上記他方の押圧部との挟圧により上記保持体に縮径可能に形成されて上記腑仰軸体に回動可能に嵌合された腑仰軸穴部と
を具備したことを特徴とする請求項２または３記載の支持装置。
【請求項５】
上記長尺支持体に形成されたラックと、
上記可動体に一体に形成されたピニオン保持筒部を通して上記可動体の内部に挿入され上記ラックと噛合されたピニオンと、
上記ピニオンを回転操作するハンドルと
を具備したことを特徴とする請求項１乃至４のいずれか記載の支持装置。
【請求項６】
上記長尺支持体は軸状部材であって、上記可動体には上記長尺支持体が挿通する穴部が設けられ、
上記長尺支持体の上記被支持体取付部側から上記長尺支持体の外周面と上記可動体の穴部の内周面との間に挿入可能な厚みと挿入不可の厚みとをテーパ面部を介して形成した筒状の摩擦力付与体と、
上記長尺支持体の上記被支持体取付部側から上記長尺支持体に嵌合されるとともに上記可動体に螺合されて上記摩擦力付与体を押圧可能な摩擦力調整体と
を具備したことを特徴とする請求項１乃至５のいずれか記載の支持装置。
【請求項７】
脚と、
上記脚の上部に位置する請求項１乃至６のいずれか記載の支持装置と
を具備したことを特徴とする脚装置。
【国際調査報告】
2011083615.tif 000012
2011083615.tif 000013
2011083615.tif 000014
2011083615.tif 000015